(57)【要約】【課題】伝送帯域等の特性が異なるために待ち行列が発生するネットワーク間に優先制御装置を配置して優先制御を行うネットワークシステムでは、複数の優先制御装置の設定を個々に行っていた。このため、優先制御装置によって異なった設定を行うことがあり、トラブルの原因になっていた。本発明は、同じ設定を行うことができる優先制御装置およびそれを用いたネットワークシステムを提供することを目的にする。【解決手段】制御端末を用いて設定した優先制御装置の設定情報を他の優先制御装置に送信し、他の優先制御装置はこの送信された設定情報を受信して自身の設定を行うようにし、設定が完了したことを表す設定完了情報を送信するようにした。全ての優先制御装置が同じ設定になることを保証でき、かつ設定が完了したことを確認できる。【選択図】図１
2011049834.tif 000002
【特許請求の範囲】
【請求項１】
特性が異なるネットワークの間に配置され、受信したデータの優先制御を行って送信する優先制御装置において、
優先制御に関する設定を行い、また他の優先制御装置から送信された設定完了情報に関する情報を表示する制御端末が接続される制御端末インターフェイスと、
受信したデータが入力され、この受信したデータの優先制御を行って出力すると共に、前記制御端末インターフェイスの出力によって、優先制御に関する設定が行われる優先制御処理部と、
前記優先制御処理部に設定される優先制御に関する設定情報が入力され、この設定情報を送信する設定情報送信部と、
を備えたことを特徴とする優先制御装置。
【請求項２】
受信したデータから前記設定完了情報を識別するデータ識別部を備え、このデータ識別部によって識別された設定完了情報を前記制御端末インターフェイスに出力するようにしたことを特徴とする請求項１記載の優先制御装置。
【請求項３】
異なるネットワークの間に配置され、受信したデータの優先制御を行って送信する優先制御装置において、
受信したデータが入力され、この受信したデータの優先制御を行って出力すると共に、受信した設定情報によって優先制御に関する設定が行われる優先制御処理部と、
前記優先制御処理部の設定が完了したことを表す設定完了情報を送信する設定完了情報送信部と、
を備えたことを特徴とする優先制御装置。
【請求項４】
受信したデータから前記設定情報を識別するデータ識別部を備え、このデータ識別部によって識別された設定情報に基づいて前記優先制御処理部を設定するようにしたことを特徴とする請求項３記載の優先制御装置。
【請求項５】
第１のネットワークと、
前記第１のネットワークと特性が異なる第２のネットワークと、
前記第２のネットワークと特性が異なる第３のネットワークと、
前記第１のネットワークと前記第２のネットワークとの間に配置され、優先制御を行う請求項１若しくは請求項２に記載の第１の優先制御装置と、
前記第２のネットワークと前記第３のネットワークとの間に配置され、優先制御を行う請求項３若しくは請求項４に記載の第２の優先制御装置と、
を備えたことを特徴とするネットワークシステム。
【請求項６】
第１のネットワークと、
前記第１のネットワークと特性が異なる第２のネットワークと、
前記第１のネットワークに接続され、優先制御を行う請求項１若しくは請求項２に記載の第１の優先制御装置と、
前記第１の優先制御装置および前記第２のネットワークに接続され、優先制御を行う請求項３若しくは請求項４に記載の第２の優先制御装置と、
を備えたことを特徴とするネットワークシステム。
【発明の詳細な説明】
【技術分野】
【０００１】
本発明は、伝送帯域あるいは通信方式が異なるネットワークを接続する優先制御装置に関し、優先制御の設定を簡単かつ確実に行うことができる優先制御装置、およびこの優先制御装置を用いたネットワークシステムに関するものである。
【背景技術】
【０００２】
図５に、２つのユーザネットワークが通信キャリアネットワークで接続されたネットワークシステムの構成を示す（例えば、特許文献１参照）。図５において、１０はユーザネットワークであり、ネットワーク１１および優先制御装置１２で構成される。優先制御装置１２はユーザの宅内に設置される。
【０００３】
１３は通信キャリアネットワークであり、従来型ネットワーク１４、優先制御装置１５、ネットワーク１６で構成される。従来型ネットワーク１４は、優先制御装置１２を介してネットワーク１１に接続される。従来型ネットワーク１４とネットワーク１６は優先制御装置１５を介して接続される。優先制御装置１５は通信キャリアの局内に設置される。
【０００４】
１７はユーザネットワークであり、ネットワーク１６と接続される。１８は制御端末であり、優先制御装置１２と１５の設定を行う。優先制御装置１２、１５は特性が異なるネットワーク間を接続し、主としてデータの優先制御を行う。
【０００５】
データには、音声データのようにリアルタイム性が要求されるデータと、電子メールのように遅延が大きくても問題にならないデータがある。このようなデータの特性を有効に利用して優先制御を行うことにより、通信インフラを効率的に運用することができる。
【０００６】
ネットワーク１１、１６、１７は、広く普及しているイーサネット（登録商標）が用いられる。イーサネット（登録商標）はフレーム（パケットとも言う）を用いてデータの送受信を行うネットワークであり、フレーム毎に優先／非優先を振り分ける設定が行われる。個々のフレームは異なるバッファメモリに書き込まれ、フレームを順方向に送信するときは、優先度の高い順にフレームをバッファメモリから読み出し、このフレームを送信する。
【０００７】
送信する側（従来型ネットワーク１４）の伝送帯域が受信側（ネットワーク１１、１６）の伝送帯域と等しい場合は受信したフレームをそのまま送信できるので、優先制御を行う必要はない。しかし、送信側の伝送帯域が受信側の伝送帯域より狭い場合は、受信したデータをそのまま送信することはできないので、優先制御を行う必要がある。優先制御とは、優先度が高いフレームを優先して送信する制御のことを言う。
【０００８】
イーサネット（登録商標）が普及する前は、ＡＴＭ（Asynchronous Transfer Mode）専用線、あるいはＨＳＤ（High Speed Digital）専用線が主流であったため、従来型ネットワークはこれらの専用線が用いられていることが多い。
【０００９】
通常、通信キャリアのネットワークを用いて異なるユーザネットワークを接続する場合は、そのトラフィック量は同一ユーザネットワーク内のトラフィック量と比べて少ないので、従来型ネットワーク１４の伝送帯域を狭くして、通信コストを抑制することが一般的に行われている。
【００１０】
このため、優先制御装置１２が、ネットワーク１１から送信されたデータをバースト的に受信すると、この受信データを一度に従来型ネットワーク１４に送信することができないので、待ち行列が発生する。同様に、優先制御装置１５が、ユーザネットワーク１７から送信されたデータをバースト的に受信するときにも、待ち行列が発生する。
【００１１】
ユーザがデータを送信する際に、優先フレーム、非優先フレームを識別するための情報をフレームのヘッダに付与し、優先制御装置１２、１５に送信する。優先制御装置１２、１５は、受信フレーム毎に優先フレーム、非優先フレームを識別し、異なるバッファメモリに書き込む。フレームを順方向に送信する際には、優先度の高いフレームから順にバッファメモリから読み出して送信することにより、双方向で優先制御を行うことができる。
【００１２】
図６に、イーサネット（登録商標）のフレーム構造を示す。この構造は、ＩＥＥＥ８０２．１ｑタグフレームによって規定されている。フレームはヘッダとデータに分けられる。ヘッダには宛先ＭＡＣアドレス、送信先ＭＡＣアドレス、ＶＬＡＮタグ、フレームタイプが格納され、データはＩＰヘッダとＩＰデータが格納される。なお、アンタグフレームではＶＬＡＮタグは定義されず、左詰めにされる。
【００１３】
優先制御を行うためには、
（１）優先制御の有効／無効
（２）振り分けキーの種別。この種別は、ＩＰヘッダ内のＴＯＳ（３ビットのＩＰプレシデンス）の値、またはＶＬＡＮタグ内のＵｓｅｒ  Ｐｒｉｏｒｉｔｙ（３ビット）の値、またはＶＬＡＮタグ内のＶＩＤ（１２ビット）の値のいずれかで設定する。
（３）振り分けキーの値。この値には、優先フレームの値および非優先フレームの値がある。
（４）各優先度バッファメモリの深さ。この値には、優先フレーム用バッファの深さと非優先フレーム用バッファの深さがある。
等の情報を設定しなければならない。
【先行技術文献】
【特許文献】
【００１４】
【特許文献１】特開２００７−２６６９３３
【発明の概要】
【発明が解決しようとする課題】
【００１５】
しかしながら、このようなネットワークには次のような課題があった。優先制御装置１２と１５に設定する優先制御に関する設定値は一致していなければならない。従来は、優先制御装置１２と１５に別々にログインし、同一の設定内容を別々に設定していた。このため、優先制御装置１２と１５で異なった値を設定してしまうという課題があった。
【００１６】
優先制御装置１２と１５で異なった値が設定されると、本来優先されるべきフレームが優先されず、非優先フレームが優先して送信されるというトラブルが発生する。
【００１７】
このように、非優先フレームが優先して送信されるトラブルの原因は、
（１）優先制御装置１２、１５を設定する制御端末１８における設定ミス、または故障。
（２）ユーザネットワーク１０内の優先制御装置１２の設定ミス、あるいは故障。
（３）通信キャリアネットワーク１３内の優先制御装置１５の設定ミス、あるいは故障。
が考えられるが、即座に原因を特定し、対処することは困難であるという課題もあった。
【００１８】
本発明の目的は、一方の設定内容を他方の優先制御装置に送信して設定することにより、単純な設定ミスを回避し、トラブル発生の際に迅速に復旧することができる優先制御装置およびこの優先制御装置を用いたネットワークシステムを実現することにある。
【課題を解決するための手段】
【００１９】
このような課題を達成するために、本発明のうち請求項１記載の発明は、
特性が異なるネットワークの間に配置され、受信したデータの優先制御を行って送信する優先制御装置において、
優先制御に関する設定を行い、また他の優先制御装置から送信された設定完了情報に関する情報を表示する制御端末が接続される制御端末インターフェイスと、
受信したデータが入力され、この受信したデータの優先制御を行って出力すると共に、前記制御端末インターフェイスの出力によって、優先制御に関する設定が行われる優先制御処理部と、
前記優先制御処理部に設定される優先制御に関する設定情報が入力され、この設定情報を送信する設定情報送信部と、
を備えたものである。他の優先制御装置は送信された設定情報を用いて同じ設定ができ、かつ設定されたことを確認できる。
【００２０】
請求項２記載の発明は、請求項１に記載の発明において、
受信したデータから前記設定完了情報を識別するデータ識別部を備え、このデータ識別部によって識別された設定完了情報を前記制御端末インターフェイスに出力するようにしたものである。設定情報および設定完了情報を、他のデータと同じ論理回線で送信することができる。
【００２１】
請求項３記載の発明は、
異なるネットワークの間に配置され、受信したデータの優先制御を行って送信する優先制御装置において、
受信したデータが入力され、この受信したデータの優先制御を行って出力すると共に、受信した設定情報によって優先制御に関する設定が行われる優先制御処理部と、
前記優先制御処理部の設定が完了したことを表す設定完了情報を送信する設定完了情報送信部と、
を備えたものである。他の優先制御装置と同じ設定を行うことができ、かつ他の優先制御装置は、設定が完了したことを確認できる。
【００２２】
請求項４記載の発明は、請求項３に記載の発明において、
受信したデータから前記設定情報を識別するデータ識別部を備え、このデータ識別部によって識別された設定情報に基づいて前記優先制御処理部を設定するようにしたものである。設定情報および設定完了情報を、他のデータと同じ論理回線で送信することができる。
【００２３】
請求項５記載の発明は、
第１のネットワークと、
前記第１のネットワークと特性が異なる第２のネットワークと、
前記第２のネットワークと特性が異なる第３のネットワークと、
前記第１のネットワークと前記第２のネットワークとの間に配置され、優先制御を行う請求項１若しくは請求項２に記載の第１の優先制御装置と、
前記第２のネットワークと前記第３のネットワークとの間に配置され、優先制御を行う請求項３若しくは請求項４に記載の第２の優先制御装置と、
を備えたものである。第１および第２の優先制御装置の優先制御に関する設定を同じにすることができる。
【００２４】
請求項６記載の発明は、
第１のネットワークと、
前記第１のネットワークと特性が異なる第２のネットワークと、
前記第１のネットワークに接続され、優先制御を行う請求項１若しくは請求項２に記載の第１の優先制御装置と、
前記第１の優先制御装置および前記第２のネットワークに接続され、優先制御を行う請求項３若しくは請求項４に記載の第２の優先制御装置と、
を備えたものである。第１および第２の優先制御装置の優先制御に関する設定を同じにすることができる。
【発明の効果】
【００２５】
本発明によれば以下のような効果がある。
請求項１、２，３，４，５，および６の発明によれば、１つの優先制御装置に設定した優先制御に関する設定情報を他の優先制御装置に送信し、他の優先制御装置は受信した設定情報に基づいて自身の優先制御に関する設定を行うと共に、設定が完了したことを表す設定完了情報を送信するようにした。
【００２６】
全ての優先制御装置の優先制御に関する設定を同じ設定情報に基づいて設定するので、全ての優先制御装置の設定を同じにすることができる。このため、設定が一致しないことによるトラブルを回避することができるという効果がある。
【００２７】
また、設定情報を受信した優先制御装置は、設定が完了したことを表す設定完了情報を送信するようにしたので、設定が完了したことを他の優先制御装置で確認することができるという効果もある。
【００２８】
また、設定情報および設定完了情報を識別するデータ識別部を設けることにより、設定情報および設定完了情報を、他のデータを送信する論理回線を用いて送信することができる。このため、通信回線を効率的に使用できるという効果もある。
【００２９】
本発明は、イーサネット（登録商標）を用いたネットワークと、ＡＴＭ専用線のような従来回線を用いたネットワークを接続して優先制御を行うことができるだけでなく、伝送帯域が異なるために待ち行列が発生する全てのネットワーク間の優先制御を行うことができる。
【図面の簡単な説明】
【００３０】
【図１】本発明の一実施例を示した構成図である。
【図２】キャリア側優先制御装置の構成図である。
【図３】ユーザ側優先制御装置の構成図である。
【図４】本発明の他の実施例を示した構成図である。
【図５】従来のネットワークの構成図である。
【図６】フレームの構造図である。
【発明を実施するための形態】
【００３１】
以下本発明を、図面を用いて詳細に説明する。なお、図１、図４はそれぞれ請求項５、６に対応し、図２は請求項１および２に、図３は請求項３および４に対応する。
【００３２】
図１は本発明に係るネットワークシステムの一実施例を示した構成図である。図１において、ネットワークシステムはユーザネットワーク２０、ユーザ側優先制御装置２１、従来回線ネットワーク２２、キャリア側優先制御装置２３、通信キャリアネットワーク２４、および制御端末２５で構成される。ユーザネットワーク２０、従来回線ネットワーク２２、通信キャリアネットワーク２４は、それぞれ第３、第２、第１のネットワークに対応し、ユーザ側優先制御装置２１は第２の優先制御装置に、キャリア側優先制御装置２３は第１の優先制御装置に対応する。
【００３３】
なお、この実施例では、ユーザネットワーク２０と通信キャリアネットワーク２４の伝送帯域は、従来回線ネットワーク２２の伝送帯域より広いものとする。すなわち、ユーザネットワーク２０と従来回線ネットワーク２２は特性が異なり、従来回線ネットワーク２２と通信キャリアネットワーク２４は特性が異なっている。また、図５に示すように、通信キャリアネットワーク２４には他のユーザネットワークが接続されるが、記載を省略している。
【００３４】
ユーザネットワーク２０および通信キャリアネットワーク２４はイーサネット（登録商標）で構成されたネットワークであり、従来回線ネットワーク２２はＡＴＭ専用線等であり、イーサネット（登録商標）が普及する前に実用化された回線で構成されたネットワークである。
【００３５】
ユーザ側優先制御装置２１はユーザネットワーク２０および従来回線ネットワーク２２に接続され、ユーザネットワーク２０が送信したフレームを受信し、このフレームに優先制御を行って従来回線ネットワーク２２に送信する。また、従来回線ネットワーク２２が送信したデータを受信し、ユーザネットワーク２０に送信する。
【００３６】
キャリア側優先制御装置２３は従来回線ネットワーク２２および通信キャリアネットワーク２４に接続される。キャリア側優先制御装置２３は、通信キャリアネットワーク２４が送信したフレームを受信し、このフレームに優先制御を行って従来回線ネットワーク２２に送信する。また、従来回線ネットワーク２２が送信したデータ受信し、通信キャリアネットワーク２４に送信する。
【００３７】
制御端末２５はキャリア側優先制御装置２３に接続される。制御端末２５を用いてｔｅｌｎｅｔあるいはｈｔｔｐ等のプロトコルによってキャリア側優先制御装置２３にログインし、このキャリア側優先制御装置２３の優先制御に関する設定を編集、設定した後、送信開始操作を行う。
【００３８】
図２にキャリア側優先制御装置２３の構成を示す。キャリア側優先制御装置２３は、フレーム受信部３０、優先制御処理部３１、データ送信部３２、設定情報送信部３３、データ受信部３４、データ識別部３５、フレーム送信部３６、および制御端末インターフェイス３７で構成される。
【００３９】
フレーム受信部３０は通信キャリアネットワーク２４が送信したフレームを受信し、この受信したフレームを優先制御処理部３１に出力する。優先制御処理部３１はフレーム受信部３０が受信したフレームの優先制御を行い、データ送信部３２に出力する。データ送信部３２は、入力されたデータを従来回線ネットワーク２２の形式に変換し、この従来回線ネットワーク２２に送信する。
【００４０】
データ受信部３４は従来回線ネットワーク２２が送信したデータを受信し、この受信したデータを、データ識別部３５を経由してフレーム送信部３６に送信する。フレーム送信部３６は、入力されたデータを通信キャリアネットワーク２４の形式に変換し、この通信キャリアネットワーク２４に送信する。
【００４１】
制御端末インターフェイス３７には制御端末２５が接続される。制御端末インターフェイス３７は、制御端末２５を介して入力された設定値の内容を解析し、優先制御処理部３１をこの設定値で設定する。前述したように、設定内容には優先制御の有効／無効、振り分けキーの種別、振り分けキーの値、各優先度バッファメモリの深さ等がある。
【００４２】
優先制御処理部３１に設定された内容と同じ設定情報は、設定情報送信部３３に入力される。設定情報送信部３３は、優先制御処理部３１に送信要求を発行する。優先制御処理部３１は、送信中のフレームが終了すると設定情報送信部３３に送信許可を発行する。送信許可が発行されると、設定情報送信部３３はデータ送信部３２に設定情報を出力する。データ送信部３２は、この設定情報を従来回線ネットワーク２２に適合したデータ形式に変換し、従来回線ネットワーク２２に送信する。
【００４３】
図３にユーザ側優先制御装置２１の構成を示す。ユーザ側優先制御装置２１は、フレーム受信部４０、優先制御処理部４１、データ送信部４２、設定完了情報送信部４３、データ受信部４４、データ識別部４５、およびフレーム送信部４６で構成される。
【００４４】
フレーム受信部４０は、ユーザネットワーク２０が送信したフレームを受信し、この受信したフレームを優先制御処理部４１に出力する。優先制御処理部４１はフレーム受信部４０が受信したフレームの優先制御を行い、データ送信部４２に出力する。データ送信部４２は、入力されたデータを従来回線ネットワーク２２の形式に変換し、この従来回線ネットワーク２２に出力する。
【００４５】
データ受信部４４は従来回線ネットワーク２２が送信したデータを受信し、この受信したデータを、データ識別部４５を経由してフレーム送信部４６に出力する。フレーム送信部４６は、入力されたデータをユーザネットワーク２０の形式に変換し、このユーザネットワーク２０に送信する。
【００４６】
データ受信部４４には、従来回線ネットワーク２２を経由してキャリア側優先制御装置２３から送信された、優先制御処理部３１の設定情報も入力される。データ識別部４５は設定情報であることを識別すると、この設定情報を優先制御処理部４１に出力し、この設定情報で優先制御処理部４１の優先制御に関する設定を行う。そしてこの設定情報を設定完了情報送信部４３に通知する。
【００４７】
設定完了情報設定部４３は、入力された設定情報から設定が完了したことを通知する設定完了情報を生成し、優先制御処理部４１に送信要求を発行する。優先制御処理部４１は、送信中のフレームが終了すると、送信許可を発行する。設定完了情報送信部４３は、送信許可が発行されると設定完了情報をデータ送信部４２に出力する。データ送信部４２は、この設定完了情報を従来回線ネットワーク２２に適合する形式に変換して送信する。
【００４８】
設定完了情報送信部４３が作成した設定完了情報は、キャリア側優先制御装置２３によって受信される。キャリア側優先制御装置２３内のデータ識別部３５はこの設定完了情報を識別し、制御端末インターフェイス３７に出力する。制御端末インターフェイス３７は、設定が完了したことを制御端末２５に表示する。
【００４９】
このような構成により、優先制御装置２１は優先制御装置２３と同一の設定を行うことができる。また、制御端末２５をチェックすることにより、優先制御装置２１の設定が完了したことをチェックすることができる。
【００５０】
次に、優先制御装置２１と２３が設定情報および設定完了情報を交換する手法について説明する。これらの情報を交換する手法には次に説明する２つがあるが、それぞれ得失がある。なお、図１〜図３を用いて説明した実施例では、第２の手法を用いている。
【００５１】
第１の手法は、設定情報および設定完了情報交換のために、論理回線の１つを専用に割り当てる手法である。多くの場合、１本の物理回線には複数の論理回線を収容することができる。これらの論理回線の１つを設定情報等の交換のために割り当てるようにする。
【００５２】
設定情報等の交換のために専用の回線を割り当てるので、設定情報等の交換が、他のデータを交換する回線（以下ユーザ回線と言う）に全く影響を与えないという利点はあるが、使用する回線の数が増加するので、通信コストが高くなるという欠点がある。また、１本の物理回線の全回線を１つの論理回線として使用する場合には、適用することができない。
【００５３】
この第１の手法は設定情報と設定完了情報を送信する専用の論理回線が設定されるので、設定／設定完了情報と他のデータを識別する必要はない。このため、データ識別部３５、４５は不要である。優先制御処理部４１は、この専用回線を通じて設定情報を受信するとこの設定情報で自身を設定し、受信した設定情報を設定完了情報送信部４３に出力する。また、優先制御処理部３１は、専用回線を通じて設定完了情報を受信すると、この情報を制御端末インターフェイス３７に出力する。
【００５４】
第２の手法は、ユーザ回線と同一の回線を用い、設定情報等を送信するときは、この回線に割り込む手法である。専用回線を用いないので通信コストを抑えることができるという利点はあるが、一時的にユーザ回線を占有するので、設定情報等のサイズをユーザ回線に影響を与えない程度に小さくする必要があるという欠点がある。
【００５５】
イーサネット（登録商標）のフレームサイズは６４〜１５１８バイトなので、設定情報を６４バイト以下にすると、設定情報を１つのフレームに入れることができる。優先制御の設定情報は通常２０〜３０バイト程度の大きさなので、設定情報を６４バイト以下にすることは十分可能である。他のデータを送信するフレームと設定情報を送信するフレームを識別できるようにすることにより、他のデータの交換に影響を与えることなく、設定情報を交換することができる。
【００５６】
設定情報を送信する手法は、従来回線の種類によって異なる。以下、ＡＴＭ専用線を用いる場合と、ＨＳＤ専用線を用いる場合について説明する。
【００５７】
最初にＡＴＭ専用線を用いる場合について説明する。ＡＴＭでは、５バイトのヘッダ部と４８バイトのペイロード部で構成されるＡＴＭセルを単位としてデータを交換することが規定されている（ＴＴＣ  ＪＴ−１３６１）。交換するデータは、ペイロード部にマッピングされる。
【００５８】
イーサネット（登録商標）のフレームサイズはＡＴＭセルのサイズより大きいので、１つのフレームを伝送するためには、複数のＡＴＭセルが必要になる。通常は、ＡＡＬ５（ATM Adaptation Layer Specification Type5  ＴＴＣ  ＪＴ−１３６３．５で規定）プロトコルが用いられ、ＡＴＭセルのヘッダ部にフレームの最終セルを表示するフラグが付与される。
【００５９】
前述したように、通常設定情報のサイズはＡＴＭセルのサイズより小さいので、１つのＡＴＭセルに設定情報を入れ込むことにより、１つのＡＴＭセルで設定情報を伝送することができる。また、常に最終セルを表示するフラグを付与することで、受信側で他のデータと識別することができる。
【００６０】
次に、ＨＳＤ専用線を用いる場合を説明する。ＨＳＤにはＡＴＭのような伝送単位の規定がないので、伝送単位を含めて規定しなければならない。例えば、設定情報や他のデータに１バイトのヘッダ部を追加し、このヘッダ部で設定情報を識別するようにすればよい。拡張性を考慮して、ヘッダ部を含めて４８バイト程度の単位になるように伝送するデータを分割して伝送すればよい。この程度の単位にすると、設定情報は１単位で伝送することができる。
【００６１】
図４に、本発明の他の実施例を示す。この実施例は従来回線ネットワークを持たないネットワークシステムに本発明の優先制御装置を適用したものである。なお、図１と同じ要素には同一符号を付し、説明を省略する。
【００６２】
図４において、５０はユーザネットワークであり、ユーザネットワーク２０およびユーザ側優先制御装置５１で構成される。５２は通信キャリア側ネットワークであり、キャリア側優先制御装置５３および通信キャリアネットワーク２４で構成される。ユーザ側優先制御装置５１とキャリア側優先制御装置５３は接続される。また、キャリア側優先制御装置５３には、制御端末２５が接続される。
【００６３】
５４はユーザ側ネットワークであり、通信キャリアネットワーク２４に接続される。ユーザ側ネットワーク５４はユーザ側ネットワーク５０と同様の構成を有しているが、記載を省略する。ユーザネットワーク２０、通信キャリアネットワーク２４はいずれもイーサネット（登録商標）を用いたネットワークである。通信キャリアネットワーク２４、ユーザネットワーク２０はそれぞれ第１、第２のネットワークに相当し、キャリア側優先制御装置５３、ユーザ側優先制御装置５１はそれぞれ第１、第２の優先制御装置に相当する。
【００６４】
ユーザ側優先制御装置５１、キャリア側優先制御装置５３は、それぞれ図２、図３と同様の構成を有している。キャリア側優先制御装置５３は制御端末２５で設定され、この設定情報はユーザ側優先制御装置５１に伝送される。ユーザ側優先制御装置５１はこの伝送された設定情報で設定され、設定完了情報をキャリア側優先制御装置５３に送信する。キャリア側優先制御装置５３はこの設定完了情報を制御端末２５に送信する。
【００６５】
通信コストを抑制するために、ユーザネットワーク２０、通信キャリアネットワーク２４の伝送帯域が１Ｇｂｐｓであり、優先制御装置５１、５３間の伝送帯域が１００Ｍｂｐｓであるとする。この場合も、通信キャリアネットワーク２４とユーザネットワーク２０相互間の送信で待ち行列が発生するので、優先制御を行わなければならない。
【００６６】
優先制御はユーザ側優先制御装置５１、キャリア側優先制御装置５３で行われる。これらの優先制御装置５１、５３として図３、図２構成の優先制御装置を用いることにより、これらの優先制御装置を同じ設定とすることができる。
【００６７】
すなわち、イーサネット（登録商標）を用いたネットワークと従来回線ネットワークとの相互接続だけでなく、イーサネット（登録商標）同士の接続であっても、伝送帯域が異なると待ち行列が発生し、優先制御を行わなければならない。本発明による優先制御装置は、優先制御を行わなければならないネットワーク間の接続に適用することができる。
【００６８】
なお、本実施例ではキャリア側優先制御装置に制御端末を接続して設定を行い、この設定値をユーザ側優先制御装置に伝送するようにしたが、ユーザ側優先制御装置に制御端末を接続し、その設定値をキャリア側優先制御装置に伝送するようにしてもよい。要は、１つの優先制御装置で設定を行い、この設定値を他の優先制御装置に伝送して設定するようにすればよい。
【００６９】
また、これらの実施例では２つの優先制御装置を用いた例を示したが、３つ以上の優先制御装置を用いてもよい。この場合は、１つの優先制御装置で設定を行い、この設定値を他の優先制御装置に伝送して設定するようにすればよい。
【符号の説明】
【００７０】
２０  ユーザネットワーク
２１、５１  ユーザ側優先制御装置
２２  従来回線ネットワーク
２３、５３  キャリア側優先制御装置
２４  通信キャリアネットワーク
２５  制御端末
３０、４０  フレーム受信部
３１、４１  優先制御処理部
３２、４２  データ送信部
３３  設定情報送信部
３４、４４  データ受信部
３５、４５  データ識別部
３６、４６  フレーム送信部
３７  制御端末インターフェイス
４３  設定完了情報送信部
５０、５４  ユーザ側ネットワーク
５２  通信キャリア側ネットワーク
【図１】
2011049834.tif 000003
【図２】
2011049834.tif 000004
【図３】
2011049834.tif 000005
【図４】
2011049834.tif 000006
【図５】
2011049834.tif 000007
【図６】
2011049834.tif 000008